(57)【要約】【課題】ピアス本体と共にピアスチェーンを耳に装着した際に、吊り下げ装飾体が揺れ動いても、留め金具が脱落する恐れがないようにする。【解決手段】真珠等の装飾体１１の背面にピアスピン１２を突設したピアス本体１０と、そのピアスピン１２を装着者の耳たぶを通した後方で、そのピアスピン１２に装着されるピアスチェーン５０と、ピアスチェーン５０を抜け止めする留め金具３０とを備えたピアスであり、そのピアスチェーン５０は、ピアスピン１２を挿通させる孔５２ａを形成した環状のピン挿通体５２と、そのピン挿通体５２に一端が連結したチェーン５３と、そのチェーン５３の他端に連結した真珠等の吊り下げ装飾体５１とを備えている。そして、チェーン５３を構成する複数のチェーン素環のうち一端（上端）のチェーン素環５３ａが、ピン挿通体５２に一体に固着している。【選択図】    図１
2020049176.tif 000002
【特許請求の範囲】
【請求項１】
ピアスピンを挿通させる孔を形成した環状のピン挿通体と、該ピン挿通体に一端が連結したチェーンと、該チェーンの他端に連結した吊り下げ装飾体とを備え、前記チェーンを構成する複数のチェーン素環のうち前記一端のチェーン素環が前記ピン挿通体に一体に固着していることを特徴とするピアスチェーン。
【請求項２】
請求項１に記載のピアスチェーンと、装飾体の背面に前記ピアスピンを突設したピアス本体と、前記ピアスピンに装着され、前記ピアスチェーンの前記ピアスピンを挿通させた前記ピン挿通体を抜け止めする留め金具とを備えたピアス。
【請求項３】
請求項２に記載のピアスを装着者の耳たぶに装着する際に、前記ピアスチェーンの前記ピン挿通体に前記ピアスピンを容易に挿通するためのツールであって、
所定の幅及び長さと厚さを有する細長い支持体の長手方向の先端部に、前記ピン挿通体の径方向を前記支持体の幅方向に向けて嵌合させ、該ピン挿通体の外周を支持するＵ字状の支持溝と、該支持溝の中心部側から前記支持体の厚さ方向に外表面に向って円錐状に拡開するガイド面とを形成していることを特徴とするツール。
【請求項４】
前記支持体の少なくとも前記支持溝を形成した部分は弾性材で形成されていることを特徴とする請求項３に記載のツール。
【請求項５】
前記支持体の先端面に、前記ピアスチェーンを構成する前記チェーン素環の一部を嵌入させる切欠溝を形成したことを特徴とする請求項３又は４に記載のツール。
【発明の詳細な説明】
【技術分野】
【０００１】
この発明は、ピアスチェーンとそれを備えたピアス、及びそのピアスを装着者の耳に装着する際に、ピアスチェーンのピン挿通体にピアス本体のピアスピンを容易に挿通するためのツールに関する。
【背景技術】
【０００２】
装身具の一種に、装着者の耳に付けるアクセサリとしてイヤリングがあり、そのうち耳たぶに孔をあけ、そこを通して装着するものをピアスと称している。
ピアスにも真珠や貴金属等の装飾体に直接又はチェ―ン等を介して設けたフックを耳たぶの孔に通して付けるタイプと、装飾体の背面に突設したピアスピンを耳たぶの孔に通し、留め金具で抜け止めするピンタイプのものなどがある。
【０００３】
ピンタイプのピアスにはさらに、耳たぶに通したピアスピンによって、チェーンを介して吊り下げ装飾体を垂下させるピアスチェーン（「チェーンピアス」とも称す）を備えたものもある。
例えば、図１１に示すように、真珠等の装飾体１１の背面にピアスピン１２を突設したピアス本体１０と、そのピアスピン１２を装着者の耳たぶ５を通した後方で、そのピアスピン１２に装着されるピアスチェーン２０と、留め金具３０とを備えた装身具であるピアスがある。
【０００４】
ピアスチェーン２０は、ピアスピン１２を挿通させる丸カン等のピン挿通体２２に、チェーン２３を介して真珠等の吊り下げ装飾体２１を連結している。留め金具３０は、ピアスピン１２に装着して、ピアスチェーン２０のピン挿通体２２をピアスピン１２から抜けないように抜け止めする。
【０００５】
このようなピアスの従来のピアスチェーン２０は、そのピン挿通体２２側の端部付近を図１２に拡大して示すように、ピアスピン１２を挿通させる孔２２ａを形成した環状のピン挿通体２２に、遊びカン２４を中心軸線が互いに交差するように挿通させて連結している。
そして、チェーン２３を構成するチェーン素環のうち一端のチェーン素環２３ａを、その遊びカン２４に中心軸線が互いに交差するように挿通させて連結し、図１１に示すように他端のチェーン素環２３ｂを、吊り下げ装飾体２１に固着した取付カン２５に中心軸線が互いに交差するように挿通させて連結している。
【０００６】
このピアスは、ピアス本体１０だけを耳たぶ５に装着して使用してもよいし、そのピアスピン１２にピアスチェーン２０のピン挿通体２２を挿通させ、チェーン２３を介して吊り下げ装飾体２１を垂下させ、それが揺れ動く優雅な装身具として使用することもできる。
【発明の概要】
【発明が解決しようとする課題】
【０００７】
しかしながら、このような従来のピアスチェーン２０は、吊り下げ装飾体２１を垂下させるチェーン２３の一端が、ピアスピン１２を挿通させるピン挿通体２２に遊びカン２４を介して連結されており、その遊びカン２４の径はチェーンの太さよりかなり大きい。
そのため、ピアス本体１０と共に耳に装着した際に、図１１に示すように耳たぶ５と留め金具３０との間に径の大きな遊びカン２４が径方向に向いて介在し、両者の間に隙間が発生する。その状態で吊り下げ装飾体２１が揺れ動いた場合、留め金具３０を動かして脱落させてしまう恐れがあった。
【０００８】
留め金具３０がピアスピン１２から脱落するとピアスチェーン２０も脱落し、ピアス本体１０も耳たぶ５から抜け落ちて、紛失してしまう恐れがある。
このようなピアスを装着者の耳に装着する際には、ピアス本体１０のピアスピン１２を耳たぶ５の孔を通してから、耳の後ろ側で、ピアスチェーン２０のピン挿通体２２にピアスピン１２を挿通しなければならないが、それがかなり難しいため時間がかかるという問題もあった。
【０００９】
この発明は、このような問題を解決するためになされたものであり、このようなピアスチェーンを備えたピアスを耳に装着した際に、耳たぶと留め金具との間に殆ど隙間ができないようにし、吊り下げ装飾体が揺れ動いても、留め金具が脱落する恐れがないようにすることを目的とする。
また、耳の後ろ側でも、ピアスチェーンのピン挿通体にピアス本体のピアスピンを容易に挿通できるようにすることを他の目的とする。
【課題を解決するための手段】
【００１０】
上記の目的を達成するため、この発明によるピアスチェーンは、ピアスピンを挿通させる孔を形成した環状のピン挿通体と、そのピン挿通体に一端が連結したチェーンと、そのチェーンの他端に連結した吊り下げ装飾体とを備え、上記チェーンを構成する複数のチェーン素環のうち上記一端のチェーン素環が上記ピン挿通体に一体に固着していることを特徴とする。
【００１１】
また、この発明によるピアスは、上記のピアスチェーンと、装飾体の背面に上記ピアスピンを突設したピアス本体と、そのピアスピンに装着され、上記ピアスチェーンの上記ピアスピンを挿通させた上記ピン挿通体を抜け止めする留め金具とを備えたことを特徴とする。
【００１２】
さらに、この発明によるツールは、上記のピアスを装着者の耳に装着する際に、上記ピアスチェーンのピン挿通体に上記ピアスピンを容易に挿通するためのツールであって、所定の幅及び長さと厚さを有する細長い支持体の長手方向の先端部に、上記ピン挿通体の径方向を上記支持体の幅方向に向けて嵌合させ、そのピン挿通体の外周を支持するＵ字状の支持溝と、その支持溝の中心部側から上記支持体の厚さ方向に外表面に向って円錐状に拡開するガイド面とを形成していることを特徴とする。
【００１３】
上記支持体の少なくとも上記支持溝を形成した部分は弾性材で形成されていることが望ましい。
また、上記支持体の先端面に、上記ピアスチェーンを構成する上記チェーン素環の一部を嵌入させる切欠溝を形成するとよい。
【発明の効果】
【００１４】
この発明によるピアスチェーン及びピアスは、装着者の耳に装着した際に、耳たぶと留め金具との間に殆ど隙間ができないので、吊り下げ装飾体が揺れ動いても、留め金具が脱落する恐れがない。
この発明によるツールを使用すれば、耳の後ろ側でも、ピアスチェーンのピン挿通体にピアス本体のピアスピンを容易に挿通することができる。
【図面の簡単な説明】
【００１５】
【図１】この発明によるピアスチェーンを備えたピアスの一実施形態の組付け状態を示す斜視図である。
【図２】同じくそのピアスチェーンのピン挿通体側の端部付近を拡大して示す斜視図である。
【図３】図１に示したピアスチェーンを備えたピアスを装着者の耳に装着した状態の一例を示す側面図である。
【図４】この発明によるツールの一実施形態を示す斜視図である。
【図５】図４に示したツールに図１に示したピアスチェーンをセットした状態を示す斜視図である。
【図６】同じくその状態の平面図である。
【図７】図４から図６に示したツールを使用して、図１に示したピアスを装着者の耳に装着する手順を示す側面図である。
【図８】この発明によるピアスチェーンの変形例とそのピン挿通体を拡大して示す斜視図である。
【図９】この発明によるピアスチェーンの他の変形例とそのピン挿通体を拡大して示す斜視図である。
【図１０】この発明によるピアスチェーンのさらに他の変形例とそのピン挿通体を拡大して示す斜視図である。
【図１１】従来のピアスチェーンを備えたピアスを装着者の耳に装着した状態の一例を示す側面図である．
【図１２】同じくそのピアスチェーンのピン挿通体側の端部付近を拡大して示す斜視図である。
【発明を実施するための形態】
【００１６】
以下、この発明を実施するための形態を図面を参照して具体的に説明する。
〔ピアスチェーンを備えたピアスの実施形態〕
先ず、この発明によるピアスチェーンを備えたピアスの実施形態を、図１〜図３によって説明する。図１はそのピアスの組付け状態を示す斜視図、図２はそのピアスチェーンのピン挿通体側の端部付近を拡大して示す斜視図、図３はそのピアスを装着者の耳に装着した状態の一例を示す側面図である。
これらの図において、図１１に示したピアスの各部と共通する部分には同一の符号を付している。
【００１７】
図１及び図３に示すピアスは、図１１に示した従来のピアスと同様に、真珠等の装飾体１１の背面にピアスピン１２を突設したピアス本体１０と、そのピアスピン１２を装着者の耳たぶ５を通した後方で、そのピアスピン１２に装着されるピアスチェーン５０と、留め金具３０とを備えている。ピアスチェーン５０は、図１１に示したピアスチェーン２０と一部相違している。ピアスピン１２の先端は安全のため尖っておらず、平坦面又は凸曲面になっている。
【００１８】
この実施形態のピアスチェーン５０は、ピアスピン１２を挿通させる孔５２ａを形成した環状のピン挿通体５２と、そのピン挿通体５２に一端が連結したチェーン５３と、そのチェーン５３の他端に連結した真珠等の吊り下げ装飾体５１とを備えている。この実施形態におけるピン挿通体５２は、従来のピアスチェーンの丸カンと同様な形状である。
しかし、チェーン５３を構成する複数のチェーン素環のうち上記一端（上端）のチェーン素環５３ａが、ピン挿通体５２に一体に固着している。
【００１９】
この例では、チェーン５３を構成する各チェーン素環は長円形に形成されており、図２に拡大して示すように、チェーン素環５３ａの長径部の一端部がピン挿通体５２に、中心軸線が互いに直交する向きで溶接又は溶着等によって一体に接合し固着している。各チェーン素環の短径は、ピン挿通体５２の環径より遥かに小さく、ピン挿通体５２の軸線方向の厚さの１．５倍〜２倍程度である。
チェーン５３の他端のチェーン素環５３ｂは、図１及び図３に示すように、吊り下げ装飾体５１に固着した取付カン５５に中心軸線が互いに交差するように挿通させて連結している。なお、チェーン５３を構成するチェーン素環の数は４個に限らず任意である。
【００２０】
留め金具３０は、ピアスピン１２を挿通させる孔３１ａを形成した環状基部３１とその径方向の両端から対称に伸びるロール状の一対の押さえ部３２とからなり、一対の押さえ部３２によってピアスピン１２を挟んで自身を固定する。ピアスピン１２の外周には複数の滑り止め用の円周溝１２ａが形成されている。この留め金具３０は、ピアスピン１２を挿通させて所望の位置に固定し、ピアスチェーン５０のピン挿通体５２をピアスピン１２から抜けないように抜け止めする。
ピアスチェーン５０を使用しない場合でも、耳に装着したピアス本体１０が脱落しないように、留め金具３０によってピアスピン１２を抜け止めする。しかし、留め金具は、この構造に限るものではない。
【００２１】
このピアス本体１０をピアスチェーン５０と共に装着者の耳に装着すると、図３に示すようになる。ピアスチェーン５０のピン挿通体５２とチェーン５３との間に遊びカンが存在せず、チェーン５３の一端の幅の狭いチェーン素環５３ａがピン挿通体５２に直接一体に固着しているので、耳たぶ５と留め金具３０との間の隙間が殆どなくなり、ピン挿通体５２を挟んで密着した状態になる。また、チェーン５３がピアスピン１２の長手方向に揺れても、チェーン素環５３ａはピン挿通体５２に対して揺動することはない。
そのため、吊り下げ装飾体５１が揺れ動いても、留め金具３０が緩んで脱落するようなことはない。
【００２２】
〔ツールの実施形態〕
次に、この発明によるツールの一実施形態を、図４〜図７によって説明する。
図４はそのツールの斜視図、図５はそのツールに図１に示したピアスチェーンをセットした状態を示す斜視図、図６は同じくその状態の平面図である。図７はそのツールを使用して、図１に示したピアスを装着者の耳に装着する手順を示す側面図である。
【００２３】
このツール７０は、上述したピアスを装着者の耳たぶに装着する際に、ピアスチェーン５０のピン挿通体５２に、ピアスピン１２を容易に挿通するためのツール（冶具）である。
そのツール７０は、所定の幅及び長さと厚さを有する細長い支持体７１の長手方向の先端部に、環状のピン挿通体５２の径方向を支持体の幅方向に向けせて嵌合させ、そのピン挿通体５２の外周を支持するＵ字状の支持溝７２を形成している。また、その支持溝７２の中心部側から支持体７１の厚さ方向に外表面に向って円錐状に拡開する（内径が次第に増加する）ガイド面７３を形成している。
【００２４】
支持体７１の少なくとも支持溝７２を形成した部分は、摩擦係数の高いゴムや樹脂等の弾性材で形成するのが望ましい。
この実施形態ではさらに、支持体７１における支持溝７２の両側に残る一対の先端面７１ａに、ピアスチェーン５０を構成するチェーン５３のチェーン素環の一部を嵌入させる切欠溝（この例ではＶ溝）７４を形成している。また、支持体７１の前面と背面に長手方向に沿う細長い凹部７５を形成している。これは、支持体７１を指で挟んで持ち易くするためである。
【００２５】
図５及び図６に示すように、このツール７０の支持体７１のＵ字状の支持溝７２に、ピアスチェーン５０のピン挿通体５２を上方から押し込んで嵌合させ、その外周を支持させる。その際、ピアスチェーン５０のチェーン５３を構成するチェーン素環の一部、この例ではピン挿通体５２に固着されたチェーン素環５３ａに連結されたチェーン素環５３ｃが、切欠溝７４に嵌入して位置決めされ、吊り下げ装飾体５１を支持体７１の一側面側に垂らす。
切欠溝７４があった方が、チェーン５３の位置決めと支持が容易になるが、これは必須ではない。また、一対の切欠溝７４のどちらを使用してもよい。
このようにピアスチェーン５０をツール７０にセットした後、そのピアスチェーン５０を図３に示したようにピアス本体１０と共に装着者の耳に装着する際には、図７に示す手順で行う。
【００２６】
まず、図７の（Ａ）に示すように、ピアス本体１０のピアスピン１２を耳たぶ５の孔に通して後方に突出させる。そして、図５に示したようにピアスチェーン５０をセットしたツール７０の支持体７１を装着者が親指と人差し指で挟んで略垂直に保持し、そのガイド面７３がピアスピン１２の先端に当たるようにして、矢示Ａで示すように後方から耳たぶ５に近付けるように移動させる。それによって、ピアスピン１２の先端がガイド面７３に案内されて、Ｕ字状の支持溝７２に嵌合支持されているピン挿通体５２の孔５２ａへ導かれて挿入され、ピン挿通体５２にピアスピン１２が容易に挿通される。
【００２７】
その状態で、図７の（Ｂ）に矢示Ｂで示すように、ツール７０を下方へ移動させると、ピアスチェーン５０のピン挿通体５２はピアスピン１２に挿通支持されているので、支持溝７２から離脱して残り、チェーン５３が延びて吊り下げ装飾体５１を垂下させる。
その後、図７の（Ｃ）に示すように、留め金具３０を後方からピアスピン１２に嵌入させ、矢示Ｃで示すように移動させて、ピン挿通体５２に当った位置で係止させる。
このようにして、ツール７０を使用すれば、耳の裏側でも装着者が自分でピアスチェーン５０のピン挿通体５２にピアスピン１２を容易に挿通させ、ピアスチェーン５０付きピアスを短時間で装着することができる。
【００２８】
〔ピアスチェーンの他の実施形態〕
ここで、ピアスチェーンの前述した実施形態のピン挿通体５２を変更した他の実施形態を図８〜図１０によって説明する。これらの図において、図１〜図３に示したピアスチェーン５０の各部と同様な部分には同一の符号を付してり、それらの説明は省略する。
図８に示すピアスチェーン５０Ａは、環状のピン挿通体５２Ａが、ピアスピンを挿通させる孔５２ａからリング状の前面５２ｂに向かって内径が次第に増加する円錐状の案内面５２ｃを設けている。そして、チェーン５３の上端のチェーン素環５３ａが、そのピン挿通体５２Ａの外周面５２ｄに一体に固着している。
このピン挿通体５２Ａは、ピアスピンの先端を円錐状の案内面５２ｃによって孔５２ａへ導くことができるので、ピアスピンの挿通をより容易にすることができる。
【００２９】
図９に示すピアスチェーン５０Ｂは、環状のピン挿通体５２Ｂが、大小のリング部を８の字の上下を逆にしたように一体に形成し、その大きい方のリング部５２ｅにピアスピンを挿通させる孔５２ａ形成している。そして、チェーン５３の上端のチェーン素環５３ａが、そのピン挿通体５２Ｂの小さい方のリング部５２ｆに一体に固着している。
【００３０】
図１０に示すピアスチェーン５０Ｃは、環状のピン挿通体５２Ｃが、大小の丸カン部を８の字の上下を逆にしたように一体に固着し、その大きい方の丸カン部５２ｇにピアスピンを挿通させる孔５２ａしている。そして、チェーン５３の上端のチェーン素環５３ａが、そのピン挿通体５２Ｃの小さい方の丸カン部５２ｈに一体に固着している。
これらのピアスチェーン５０Ｂ，５０Ｃは、ツール７０にセットする際に小さい方のリング部５２ｆ又は丸カン部５２ｈを摘んで、大きい方のリング部５２ｅ又は丸カン部５２ｇを支持溝７２に嵌合させることができる。したがって、ピアスチェーンのツールへのセットが容易になる。
ピアスチェーンのピン挿通体の形状は、これらに限るものではなく、種々の変更が可能である。
【００３１】
以上、この発明の実施形態について説明してきたが、その実施形態の各部の具体的な構成は、そこに記載したものに限るものではない。
また、この発明は上述した実施形態に限定されるものではなく、特許請求の範囲の各請求項に記載された技術的特徴を有する以外は、何ら限定されないことは言うまでもない。
さらに、以上説明してきた実施形態の構成例、動作例及び変形例等は、適宜変更又は追加したり一部を削除してもよい。
【産業上の利用可能性】
【００３２】
この発明は、耳に付ける装身具であるピアス、特にピアスチェーンを備えたピアスとそのピアスチェーン、及びピアスチェーンのピン挿通体にピアス本体のピアスピンを容易に挿通するためのツールに利用可能である。
【符号の説明】
【００３３】
５：耳たぶ    １０：ピアス本体    １１：装飾体    １２：ピアスピン    
１２ａ：円周溝    ３０：留め金具    ３１：環状基部    ３２：押さえ部    
５０，５０Ａ，５０Ｂ，５０Ｃ：ピアスチェーン    ５１：吊り下げ装飾体    
５２，５２Ａ，５２Ｂ，５２Ｃ：ピン挿通体    ５２ａ：ピアスピンを挿通させる孔  
５２ｂ：リング状の前面    ５２ｃ：案内面    ５２ｄ：外周面    
５２ｅ：大きい方のリング部    ５２ｆ：小さい方のリング部    
５２ｇ：大きい方の丸カン部    ５２ｈ：小さい方の丸カン部    
５３：チェーン    ５３ａ：一端のチェーン素環    ５３ｂ：他端のチェーン素環    
５５：取付カン    ７０：ツール    ７１：支持体    ７１ａ：先端面    
７２：支持溝    ７３：ガイド面    ７４：切欠溝    ７５：凹部    
【図１】
2020049176.tif 000003
【図２】
2020049176.tif 000004
【図３】
2020049176.tif 000005
【図４】
2020049176.tif 000006
【図５】
2020049176.tif 000007
【図６】
2020049176.tif 000008
【図７】
2020049176.tif 000009
【図８】
2020049176.tif 000010
【図９】
2020049176.tif 000011
【図１０】
2020049176.tif 000012
【図１１】
2020049176.tif 000013
【図１２】
2020049176.tif 000014